(57)【特許請求の範囲】
【請求項１】
着信音等のメロディデータを保持する記憶手段と、着信時等に前記記憶手段から前記メロディデータを読み出してメロディ再生を行う再生手段とを具えた携帯形電話機において、
その筐体に対して固設されたバーコードを読み取る読取部材と、
前記読取部材を介してデータの入力を行うとともにこのデータを前記メロディデータとして前記記憶手段に書き込むメロディデータ取込み手段と、
前記記憶手段への書込に際して書込対象のメロディデータを前記再生手段にて再生させる手段と、
前記メロディデータ取込み手段の処理中には、着信に応じて前記再生手段を動作させるに際して前記再生手段に供するメロディデータに対して所定の加工を施す手段と、が設けられていることを特徴とする携帯形電話機。
【請求項２】
請求項１に記載された携帯形電話機において、
前記メロディデータのデジタル変復調を行ってデジタル信号をアナログ信号に変換する音階発生回路をさらに具えたことを特徴とする携帯形電話機。
【請求項３】
請求項１に記載された携帯形電話機において、
キーボードとキーボードインターフェイスからなる操作部を更に有することを特徴とする携帯形電話機。
【請求項４】
請求項１に記載された携帯形電話機において、
前記メロディデータ取込み手段は、前記読取部材からのデータが入力されるバーコードリーダ回路と前記読取部材からのデータを前記記憶手段に書き込むためのバーコード読み取りルーチンを更に有することを特徴とする携帯形電話機。
【請求項５】
請求項１に記載された携帯形電話機において、
前記読取部材は発光素子と受光素子からなることを特徴とする携帯形電話機。
【請求項６】
請求項４に記載された携帯形電話機において、
前記バーコードリーダ回路は、前記発光素子及び前記受光素子を駆動する駆動回路と、前記受光素子からの信号を二値化してバーコードのパターンを認識する認識回路と、読み取り状態の良否を判定する判定回路からなることを特徴とする携帯形電話機。
【請求項７】
請求項４に記載された携帯形電話機において、
前記バーコード読み取りルーチンは、前記メロディデータを読み取る時に起動し、読み取る時のみ前記読取部材と、前記バーコードリーダ回路を動作させることを特徴とする携帯形電話機。
【発明の詳細な説明】
【０００１】
【発明の属する技術分野】
この発明は、携帯形電話機の発する着信音等のメロディを変更するための技術に関し、詳しくは、携帯形電話機用のメロディデータを配信するとともに配信されたメロディデータを携帯形電話機にダウンロードする携帯形電話機に関する。
なお、この明細書における携帯形電話機には、アナログ式の又はデジタル式の携帯電話機の他、ＰＨＳ（Ｐｅｒｓｏｎａｌ Ｈａｎｄｙｐｈｏｎｅ Ｓｙｓｔｅｍ）や、固定電話機等を親機として無線通信を行うときの子機となる受話器なども該当する。
【０００２】
【従来の技術】
固定電話機だけでなく、携帯電話機でも、通話音を録音再生可能なもの（特開平５−４８６９１号公報、特開平６−６２８５号公報）や、着信音のメロディを変更可能なものが知られており、そのような携帯電話機では、無線電話回線を動的に確立するための通信手段や、プッシュボタン等の操作部材を配設したキーボードに加え、着信音等のメロディデータを記憶保持するデジタル記憶手段であるメモリと、そのメロディデータを読み出してメロディ再生を行う再生装置とが設けられている。
なお、電話機とは異なるが、一部のオーディオ機器、例えばカラオケ装置や電子楽器のなかには、メロディデータの読み取りにバーコードリーダを用いるものも知られている（特開平６−４０８６号公報、特開平８−１０６２８８号公報）。もっとも、それらの機器は携帯形装置で無く、バーコードリーダも携帯形電話機に適合したものでは無い。
【０００３】
そして、そのような携帯電話機には、外部接続可能なマイクを介して音声入力を行ったり外部接続可能なイヤホン・ヘッドホンを介してスピーカ以外への音声等出力を行ったりするために、導電ケーブルのプラグ端子等を外部から挿抜可能なコネクタが設けられていて、それらを介してアナログ音響信号の外部伝達が可能なようになっている。
また、そのような携帯電話機には、着信音等の音響出力に加えて、そのメロディ変更も行うために、着信音等のメロディデータを保持するデジタルの記憶手段と、着信時等にその記憶手段からそのメロディデータを読み出してメロディ再生を行う再生手段とが設けられており、そのメロディデータの書換は、各種メロディデータのコードが印刷された冊子等を見ながら、プッシュボタン等のキーボードの特定の操作に応じてその記憶手段のメロディを書き換えるようになっている。
【０００４】
しかしながら、携帯形電話機は、携帯性を重視して小形化されていることもあって、キー等の操作子も小さいため、注意の要るデータ入力作業等を継続して行うには、操作性が良いとは言い難い。このため、多量のメロディデータや、凝った内容で複雑なデータを入力するのは、大変な作業になってしまう。また、操作ミスなどの誤りは犯し易いのに対し、その訂正は面倒である。
そこで、キー操作等の手入力ばかりに依らない簡単な手法でもメロディデータを書き換えられるようバーコードリーダを利用することやその他の工夫を加えることも考えられるが、その際、小形化の流れに反しないようにすることが技術的な課題となる。また、携帯性を考慮した更なる工夫を加味することも好ましい。
【０００５】
【発明が解決しようとする課題】
この発明は、このような課題を解決するためになされたものであり、メロディ変更の簡単な携帯形電話機を実現することを目的とする。
【０００６】
このような課題の解決手段について、その構成および作用効果を以下に説明する。
【０００７】
【課題を解決するための手段】
本発明の携帯形電話機は、着信音等のメロディデータを保持する記憶手段と、着信時等に前記記憶手段から前記メロディデータを読み出してメロディ再生を行う再生手段とを具えた携帯形電話機において、その筐体に対して固設されたバーコードを読み取る読取部材と、前記読取部材を介してデータの入力を行うとともにこのデータを前記メロディデータとして前記記憶手段に書き込むメロディデータ取込み手段と、前記記憶手段への書込に際して書込対象のメロディデータを前記再生手段にて再生させる手段と、前記メロディデータ取込み手段の処理中には、着信に応じて前記再生手段を動作させるに際して前記再生手段に供するメロディデータに対して所定の加工を施す手段と、が設けられている、というものである。
この携帯形電話機にあっては、読取部材が筐体に固設されて一体化されているので、それ自体がバーコードリーダのスキャナ・走査部まで兼ねるものとなっている。そして、メロディデータの書換等に際して必要になるデータをバーコードで印刷した印刷物を用意するとともに、携帯形電話機の筐体を手に持って、その読取部材をバーコード印刷面に向け、その状態でバーコード印刷面上を移動させると、そのバーコードが読み取られて、そのバーコードに対応したメロディデータ等のデータが、携帯形電話機に自動入力される。
これにより、キー操作での手入力だけに依るので無く走査のための移動など最小限の簡単な操作だけで、書換用の新たなメロディデータを自動で読み取って入力することが出来ることとなる。しかも、読取部材も含めたバーコードリーダを筐体に組み込んでの一体化により、バーコードリーダの本体ばかりか走査部についても、個別の箱状体や外套部材といった筐体用部材が不要となり、携帯形電話機の筐体を拡げること無く、携帯形電話機の機能アップが達成されるので、小形化の流れに反することも無い。
したがって、この発明によれば、メロディ変更の簡単な携帯形電話機を実現することができる。
【０００８】
また、バーコードで記されたデータは、読取部材を介して入力されるとともに、メロディデータとして記憶手段に書き込まれる。こうして、携帯形電話機でバーコードをなぞる等のことで簡単にメロディデータが書き換えられるが、その際、携帯形電話機以外には、バーコードの印刷物さえ有れば足り、バーコードリーダを別途持ち歩いたりすることは勿論、その接続作業や電源の手配なども不要である。
これにより、所定形式の印刷物を購入等して入手しておけば、携帯形電話機のメロディデータを書き換える際には、それらの携帯容易なものさえ有れば足り、特別な装置や設備は準備する必要が無いので、便利である。つまり、上述したように操作が簡単なばかりか、準備等も楽なので、便利でもある。
したがって、この発明によれば、メロディ変更の簡便な携帯形電話機を実現することができる。
【０００９】
また、バーコード読み取りにて入力されたメロディデータが、メロディデータ書換のため記憶手段に書き込まれるとともに、その際、再生手段によって再生される。こうして、入力したばかりのメロディが直ちに聞こえて来る。それも該当携帯形電話機で着信音等として実際に再生するのと同じ状態で聞こえて来る。
これにより、メロディデータが人間には読み難いバーコードで記されていても、その正確なメロディを聴いたうえで、そのメロディ選択やデータ入力などが適切なものであったか否かまでも、確認することが可能となる。
したがって、この発明によれば、簡単に而も的確に携帯形電話機のメロディデータを変更することができる。
【００１０】
さらに、バーコードを読み取ってメロディデータを取り込んでいる最中に着信が有ると、それに応じて着信音を発する際には、再生対象のメロディデータが一時的に加工されそれから再生される。
こうして、単に記憶済みの又は記憶中のメロディデータを再生したときとは異なるメロディの音が発せられるので、バーコード読み取り内容の確認のためのメロディ音と、着信があったことを知らせるためのメロディ音とが、識別可能になる。
これにより、着信が無くても着信音が発せられるため着信の有無を判別し難いメロディデータ取込作業中であっても、そのメロディ音が着信と非着信との何れに対するものであるのかが明瞭に把握されるので、実際の着信を受け損なうことが無くなる。
したがって、この発明によれば、メロディ変更ばかりかその確認まで簡単に行えて而もその作業中の着信も逃さない携帯形電話機を実現することができる。
【００１１】
【発明の実施の形態】
このような解決手段で達成された本発明の携帯形電話機について、これを実施するための形態を以下の実施例により具体的に説明する。
【００１２】
（第１実施例）
本発明の携帯形電話機の第１実施例について、その具体的な構成を、図面を引用して説明する。図１は、内部構造を示し、（ａ）が装置全体の回路ブロック図、（ｂ）がコネクタの詳細図である。また、図２は、（ａ），（ｂ）共に外部接続機器も含めた外観図である。
この携帯電話機３０（携帯形電話機）には、その基本機能をサポートするために、従来品と同様、次のものが具わっている。すなわち（図１（ａ），図２参照）、従来同様で足りるので個々の詳細な説明は割愛するが、無線通信用の通信手段として、アンテナ３１と、これを介して基地局等との送信および受信を行う通信回路３８とが設けられている。また、電話番号の入力等のための操作部として、プッシュボタン等の配設されたキーボード３２と、キーボードＩ／Ｆ３３が具えられている。さらに、受信音等を可聴音にして出すために、スピーカ３６を有するとともに、その受信音等をアナログの電気信号としてイヤホン３やヘッドホンへ出力するために、切換回路３９が内蔵され、ジャック２０（コネクタ）がプラグ挿抜口を露出して装備されている。そのジャック２０及び切換回路３９は、図示しない内蔵マイクとは別に着脱される外部のマイク２から音声等を入力する際にも用いられるようになっている。
【００１３】
また、携帯電話機３０には、話者間の通話をサポートするために、上記の各手段を適宜に制御・駆動して、必要な通信手順や発呼処理等の種々の処理を実行するＤＳＰ３４（デジタルシグナルプロセッサ）も内蔵されている。さらに、自己の電話番号や自動ダイアル先の幾つかの電話番号を保持しておく等のため、ＤＳＰ３４による読み書きアクセスが可能な状態で、フラッシュメモリ等からなるメモリ３７も内蔵されており、これらは、図示しない電池から動作電力が供給されるようになっている。
このメモリ３７は、着信音等のメロディデータを保持する記憶手段も兼ねており、そのために、所要範囲の一部領域が確保されている。メロディデータは、パルス符号変調等の施されたデジタルデータとしてメモリ３７の該当領域に書き込まれるが、工場出荷前等に専用治具を用いて書き込まれる他、購入者等の使用者が後で書き換えることも可能である。具体的には、キーボード３２を操作して特定のモード設定や順々に続く所定のデータ入力を行うと、ＤＳＰ３４のプログラム処理等によって、メモリ３７の該当領域のデータが書き換えられるようになっている。
【００１４】
さらに、携帯電話機３０には、そのメロディ音を着信時等に発するために、シンセサイザ回路等に加えてパルス符号変調等に対応した復号や復調を行ってデジタルデータをアナログ音響信号に変換する変換処理回路も具えた音階発生回路３５が内蔵されている。また、ＤＳＰ３４は、そのプログラム処理によって、所定の着信確認処理を行うとそれに続けて、メモリ３７からメロディデータを読み出すとともに、音階発生回路３５へ逐次引き渡す処理も行う。音階発生回路３５の出力はスピーカ３６に送られる。このような音階発生回路３５及びＤＳＰ３４は、メモリ３７に保持されているメロディデータに基づいてメロディ再生を行う再生手段となっている。
これに対し、フォトトランジスタやフォトダイオード等の受光部材を具有して充電変換を行うとともに必要に応じて信号増幅等も行う受光部４０と、その受光部材を介して外部から受け取った信号を二値化したりサンプリングしたりすることでデジタル音響データを入力するデジタルＩ／Ｆ４１（入力手段）は、新たに導入されたものである。また、ジャック２０は、通話音等のアナログ音響信号の外部伝達可能なコネクタであることに加えて、受光部４０の受光部材が特定の関係で設けられたものとなっている。
【００１５】
すなわち（図１（ｂ）参照）、プラグ１０が互いに絶縁された３個の接触子１１，１２，１３を持っているのに対応して、ジャック２０には、プラグ１０を挿入した状態で接触子１１，１２，１３とそれぞれが電気的に導通する３個の接触子２１，２２，２３が具わっており、それぞれが右側の音Ｒや，左側の音Ｌ，接地ＧＮＤなどの信号を分担しながら何れも切換回路３９に至るようになっている。
また、プラグ１０の軸心部分には光ファイバ１４が埋め込まれており、これに対応して、ジャック２０におけるプラグ挿し込み穴の底には、受光部４０の受光部材が組み込まれていて、光ファイバ１４を介して外部から送り込まれた光が、光ファイバ１４の先端から受光部４０の受光部材に向けて出射されるとともに、受光部４０によって受光されるようになっている。
【００１６】
しかも、受光された光信号は、受光部４０にて電気信号に変換され、デジタルＩ／Ｆ４１にてデジタル信号に波形整形されるとともに適宜のタイミングでサンプリングされ、それからＤＳＰ３４に送り込まれてそこでのプログラム処理に供される。このような受光部４０及びデジタルＩ／Ｆ４１は、プラグ１０からジャック２０のところを経て送り込まれた光信号をＤＳＰ３４で処理可能なデジタル音響データに変換するものとなっている。
さらに、ＤＳＰ３４は、デジタル音響データをメロディデータとしてメモリ３７に書き込む書込手段も兼ねており、そのために、上述した各処理に加えて、次のような付加的なデータ処理も行う。例えば、入力したデジタル音響データがＰＣＭ音源からのものである等のため、そのまま音階発生回路３５で再生しうる形式のデータであれば、そのデジタル音響データをそのままメモリ３７の該当領域に転送して上書きする。これに対し、入力したデジタル音響データが異種音源からのものである等のため、そのままでは音階発生回路３５での再生に適さない形式のデータであれば、対処可能な限り、そのデジタル音響データを所望の形式に変換してから、それをメモリ３７の該当領域に書き込む。
【００１７】
それから、そのようなデータ形式の変換処理に加えて、入力したデジタル音響データから所定データを抽出する処理も必要に応じて行う。例えば、デジタル音響データが、歌声等の音楽情報を担っているメインコードエリアのデータと、媒体名称やカラオケ情報等の非音楽情報を含んだサブコードエリアのデータとからなるような場合、主にメインコードエリアのデータを利用する、或いはメインコードエリアのデータは捨ててサブコードエリアのデータだけをメロディデータとして採用する、といったことも行うようになっている。
なお、このような処理は、予め想定されている幾つかの規格に基づいてデジタル音響データ中のヘッダー情報等から対処法が判別可能なときには、プログラム処理によって自動的に最適な処理が選択実行されるが、そうでないときでも、キーボード３２の操作等によって適切な動作モードの指定等がなされていれば、該当するプログラムの処理によってやはり適切に処理が行われる。ＤＳＰ３４には、そのようなプログラムがインストールされている。
【００１８】
この第１実施例の携帯形電話機３０の使用態様及び動作を、図面を引用して説明する。図２は、（ａ）（ｂ）共に外観図であるが、異なる使用状況を示している。
通話に際して内蔵のマイクやスピーカ３６の代わりに外付けのマイク２又はイヤホン３を使用するには（図２（ａ）参照）、マイク２やイヤホン３から延びたケーブルの先端に設けられているプラグ１を、携帯電話機３０のジャック２０に挿して行う。プラグ１はプラグ１０と同じものでも良いが一般にはプラグ１０から光ファイバ１４を欠いたもの或いは更に接触子１１，１２も纏めたものが用いられており、マイク２が接続されている場合、マイク２で拾った音は、アナログ音響信号の状態でプラグ１からジャック２０そして切換回路３９に伝達され、それから適宜変化しながら図示しない音声入力回路，ＤＳＰ３４，通信回路３８、アンテナ３１の順に送られ、無線電話回線に乗る。
【００１９】
また、イヤホン３が接続されている場合、無線で送られアンテナ３１や通信回路３８で受信された音は、逆に、ＤＳＰ３４そして図示しない音声出力回路を経てアナログ音響信号にされ、その状態で、切換回路３９，ジャック２０，プラグ１を介してイヤホン３に伝達されて、可聴音になる。
こうして、アナログ音響信号の外部との伝達がコネクタ２０の電気的接点２１，２２，２３を介して行われる。
ところで、着信音のメロディを変更するには、キーボード３２の操作でメロディデータを総て打ち込む他に、手元にＣＤプレーヤ４が有ればそれを利用して自動入力も行える（図２（ｂ）参照）。プレーヤ４は、ヘッドホン出力等の必須機能に加えて、記録媒体のメインコードエリアやサブコードエリア等から読み出したデジタル音響データを光信号で外部出力する機能も必要であるが、ＣＤプレーヤでは多くの製品がそのようになっているので、大抵の場合、両端にプラグ１０を持ったケーブルさえ準備できれば、これで携帯電話機３０と相互接続が行える。
【００２０】
携帯電話機３０とプレーヤ４とを接続したら、携帯電話機３０のキーボード３２を少しだけ操作して携帯電話機３０の動作モードをメロディデータの自動入力モードに設定しておき、それから、プレーヤ４のスイッチ等を操作して再生動作を開始させる。そうすると、プレーヤ４で記録媒体から読み出されたデジタル音響データは、デジタル光信号の状態でプラグ１０の光ファイバ１４からジャック２０後端の受光部４０に伝達され、それから適宜変化しながらデジタルＩ／Ｆ４１，ＤＳＰ３４，メモリ３７の順に送られ、メロディデータの該当領域に書き込まれる。
こうして、デジタル音響データの外部からの取込が、コネクタ２０に対して設けられた受光部４０を介して行われる。
【００２１】
なお、動作モード等にもよるが、プレーヤ４の再生音を聴きながら、キーボード３２を操作して選曲を行ったり、曲の中間部分を選出したりして、好みのメロディを携帯電話機３０に書き込むと良い。
また、通常の音楽用ＣＤを用いる場合には、メインコードエリアの一般的なデジタル音響データを取り込んでデータ形式の変換に加えて主要メロディの抽出等も行うのに対し、予めサブコードエリアにメロディデータを含ませておいた専用のＣＤを用いると、この場合には、サブコードエリアのデータから該当デジタル音響データを選択してメロディデータのダウンロードを行うだけなので、メロディ抽出の失敗等が確実に回避される。
こうして、マイク２やイヤホン３と同様にしてプレーヤ４を携帯電話機３０に接続するとともに、ほんの少しのキー操作を行うだけで、簡単に、携帯電話機３０のメロディデータを変更することができる。
【００２２】
（第２実施例）
本発明の携帯形電話機の第２実施例について、その具体的な構成を、図面を引用して説明する。図３（ａ）は、回路全体のブロック図であり、上述の図１（ａ）に対応している。また、図３（ｂ）は、使用状況も示す外観図であり、上述の図２（ｂ）に対応している。
【００２３】
この携帯電話機５０が上述した携帯電話機３０と相違するのは、受光部４０及びデジタルＩ／Ｆ４１に代えてモデム５２（変復調回路）が導入された点と、これに伴って切換回路３９が切換回路５１に改造された点である。なお、図示は割愛したが、ＤＳＰ３４のプログラム処理の内容も随伴して一部が変更されている。
切換回路５１は、ジャック２０の接触子２１，２２，２３を介する信号伝達先が、マイク２に対応した音声入力回路と、イヤホン３に対応した音声出力回路と、新たに加わったモデム５２との三つになっている。
モデム５２は、この切換回路５１を介してジャック２０に対するデータ伝送が可能なように接続されるとともに、ＤＳＰ３４とも適宜のインターフェイス等を介して接続されている。そして、メロディデータのデジタル変復調を行うために、比較的簡便なＦＳＸ（周波数シフトキーイング）方式やＡＳＫ（振幅シフトキーイング）方式に基づいた変調回路および復調回路を具えている。その変復調は、変調信号がアナログ音響信号として一般的な録音機で記録できるように、数百Ｈｚ〜数千Ｈｚの適宜な可聴周波数の範囲内で行われるようになっている。
【００２４】
ＤＳＰ３４は、メモリ３７にアクセスしてそのメロディデータをモデム５２の処理に供する処理も行うようにプログラムが変更されており、具体的には、メロディデータ保存モードのとき、メロディデータをメモリ３７から読み出して逐次モデム５２に引き渡す一方、メロディデータ回復モードのとき、モデム５２から受け取ったデータをメモリ３７のメロディデータ領域に上書きするようになっている。
【００２５】
この第２実施例の携帯形電話機５０の使用態様及び動作を説明する。通常の通話の他、マイク２やイヤホン３を用いる通話に関しても、使用態様及び動作は、上述した第１実施例の場合と同様なので、以下、レコーダ５を利用したメロディデータの保存と回復について述べる。
レコーダ５には、再生に加えて録音も可能なカセットテープレコーダ等が用いられるが、そのようなオーディオ機器には一般的なものであってもアナログ音響信号入出力用のジャックは付いていることが多いので、大抵の場合、両端にプラグ１を持ったケーブルを準備できれば、これで携帯電話機５０とレコーダ５との相互接続が行える（図２（ｂ）参照）。
【００２６】
それから、レコーダ５を録音モードで動作させるとともに、携帯電話機５０のキーボード３２を少しだけ操作して携帯電話機５０の動作モードをメロディデータの保存モードにする。そうすると、携帯電話機５０では、メロディデータが、メモリ３７からＤＳＰ３４によって読み出され、モデム５２によってＦＳＸ変調等されて、アナログ音響信号の状態になり、さらに、切換回路５１，ジャック２０に送られる。そして、そこからプラグ１やケーブルを経て、レコーダ５に送出される。レコーダ５では、メロディデータがピープーといった音のように扱われ、カセットテープ等の記録媒体に記録される。こうして、携帯電話機５０のメロディデータが、コネクタ２０を利用して接続された外部の録音再生装置に保存される。
【００２７】
また、保存したメロディデータを直ちに或いは後に再度入力したい場合には、再び携帯電話機５０にレコーダ５を接続させてから、携帯電話機５０のキーボード３２を少しだけ操作して携帯電話機５０の動作モードをメロディデータの回復モードにするとともに、レコーダ５を再生モードで動作させる。そうすると、レコーダ５で再生されたピープー音のアナログ音響信号は、ケーブル及びプラグ１を介して携帯電話機５０に送出され、それからジャック２０そして切換回路５１を経てモデム５２に伝達され、その復調処理によって元のデジタルデータに戻される。そして、そのデータは、ＤＳＰ３４によってメモリ３７のメロディデータ領域に書き込まれる。
【００２８】
こうして、携帯電話機５０に一旦入力されたメロディデータは、一般的なオーディオ録再機器を利用して記録媒体に保存しておけるので、携帯電話機５０から消去した後でも、再び使いたくなったときには簡単に戻すことができる。そのため、メロディデータの総てをキーボード３２にて打ち込みなおすといった必要が無くなるばかりか、プレーヤ４からメロディデータを入力した後にＣＤ等をレンタルショップに返却したり他人に譲ってしまったような場合でも、キーでの打ち込みを行うことなく保存・回復させることができる。
【００２９】
（第３実施例）
本発明の携帯形電話機の第３実施例について、その具体的な構成を、図面を引用して説明する。図４は、回路全体のブロック図であり、上述した図２（ａ）及び図３（ａ）に対応している。
【００３０】
この携帯電話機６０は、携帯電話機３０における受光部４０及びデジタルＩ／Ｆ４１と、携帯電話機５０におけるモデム５２及び切換回路５１とを双方とも具備したものである。また、ＤＳＰ３４も、双方に関する動作モードやデータ処理をサポートするようになっている。
この場合、プレーヤ４を接続してメロディデータを自動入力することに加えて、レコーダ５を接続してメロディデータを保全・回復することも、補助的な少しのキー操作で簡単に行うことができる。
【００３１】
（その他）
なお、上記実施例で、受光部４０の受光素子は、ジャック２０に一体的に組み込まれていたが、コネクタ２０に対する受光素子の設け方は、それに限らず受光可能であれば良い。例えば、ネジ込みや押し込み等にて挿抜可能に装着するようにしても良く、適宜の締結具や係止具等にて取り外し可能に添着しても良く、適宜の位置決め部材や凹凸加工部等を利用して隙間を空けた状態で設置するようにしても良い。
キーボード３２は、プッシュキーに限らず、操作可能な部材であれば、回転式のホイールや、傾斜式のスティック等であっても良い。
ＤＳＰ３４は、十分な処理能力を備えた信号処理回路であれば、汎用プロセッサや、ワイヤードロジックでも良く、それらの組み合わせであっても良い。
メモリ３７は、フラッシュメモリ等の不揮発性メモリに限らず、電池等でバックアップされたＲＡＭ等であっても良い。
【００３２】
プレーヤ４は、ＣＤプレーヤに限らず、メロディデータをデジタル光信号にて外部出力しうるものであれば他の装置であっても良い。例えば、ＭＤ（ミニディスク）や、ＤＡＴ（デジタルオーディオテープ）、ＤＶＤ（デジタルビデオディスク）等のプレーヤでも良い。
レコーダ５は、カセットテープレコーダに限らず、メロディデータをデジタル変調したデータを外部とやり取りしうるものであれば他の装置であっても良い。例えば、磁気カードのリーダライタや、ＶＴＲ（ビデオテープレコーダ）等の録再装置でも良い。
【００３３】
図５〜図７は第４実施例を、図８及び図９は第５実施例を示す。なお、各図において同一の又は同様の構成要素には同一の符号を付して示した。
【００３４】
（第４実施例）
本発明の携帯形電話機の第４実施例について、その具体的な構成を、図面を引用して説明する。図５は、その内部構造等を示すブロック図であり、図６は、その外観を示す正面図である。
【００３５】
この携帯電話機１３０（携帯形電話機）には（図５，図６参照）、無線通信用の通信手段として、アンテナ１３１と、これを介して基地局等との送信および受信を行う通信回路１３８とが設けられている。また、電話番号の入力等のための操作部として、プッシュボタン等の配設されたキーボード１３２と、キーボードインターフェイス１３２ａが具えられている。さらに、話者の発する音声等を入力するために、マイク１３５と共に音声入力回路１３５ａが設けられ、受信音等を可聴音にして出すために、スピーカ１３７も設けられている。
携帯電話機１３０の筐体は、金属やプラスチック等から作られ、手で持ちやすいように角部を丸めた細長い直方体状・箱状体に形成されることが多いが（図６参照）、折り畳めるよう連結した複数の箱体にされることもある。そのような筐体に対し、上記のアンテナ１３１やキーボード１３２の他、文字や画像を表示するＬＣＤパネル１３９等の外装部材は、一部を露出して装着される。
【００３６】
また、携帯電話機１３０には（図５参照）、話者間の通話等をサポートするために、上記の各手段を適宜に制御・駆動して、必要な通信手順や発呼処理等の種々の処理を実行するデジタルシグナルプロセッサ１３３も内蔵されていて、これには、その通話に伴う処理を担う通話ルーチン１３３ａや、キーボード１３２を操作しての入力をサポートするキー入力ルーチン１３３ｂが、インストールされている。さらに、携帯電話機１３０には、自己の電話番号や自動ダイアル先の幾つかの電話番号を保持しておく等のため、デジタルシグナルプロセッサ１３３による読み書きアクセスが可能な状態で、フラッシュメモリ等からなるメモリ１３４も内蔵されている。そして、それらは、筐体の内部で、図示しない電池から、動作電力が供給されるようになっている。
【００３７】
このメモリ１３４は、着信音等のメロディデータを保持する記憶手段も兼ねており、そのために、所要範囲の一部領域が確保されている。メロディデータは、パルス符号変調等の施されたデジタルデータとしてメモリ１３４の該当領域に書き込まれるが、工場出荷前等に専用治具を用いて書き込まれる他、購入者等のユーザ（使用者・利用者）が後で書き換えることも可能である。具体的には、キーボード１３２を操作して特定のモード設定や順々に続く所定のデータ入力を行うと、デジタルシグナルプロセッサ１３３のキー入力ルーチン１３３ｂの処理等によって、メモリ１３４の該当領域のデータが書き換えられるようになっている。
【００３８】
さらに、この携帯電話機１３０には、そのメロディ音を着信時等に発するために、シンセサイザ回路等に加えてパルス符号変調等に対応した復号や復調を行ってデジタルデータをアナログ音響信号に変換する変換処理回路も具えた音階発生回路１３６が内蔵されている。また、デジタルシグナルプロセッサ１３３は、その適宜なプログラム処理によって、所定の着信確認処理を行うとそれに続けて、メモリ１３４からメロディデータを読み出すとともに、音階発生回路１３６へ逐次引き渡す処理も行う。音階発生回路１３６の出力はスピーカ１３７に送られる。このような音階発生回路１３６及びデジタルシグナルプロセッサ１３３は、やはり筐体内に格納されていて、メモリ１３４に保持されているメロディデータに基づいてメロディ再生を行う再生手段となっている。
【００３９】
また、この携帯電話機１３０には（図５参照）、バーコードの読み取りを可能にするために、メロディデータ読み取り手段１４０も設けられているメロディデータ読み取り手段１４０は、バーコード上を移動させられるとその走査に伴ってバーコードを読み取るスキャナ１４１（読取部材）と、このスキャナ１４１を介してデータの入力を行うバーコードリーダ回路１４２と、その入力データをメロディデータとしてメモリ１３４に書き込むためにデジタルシグナルプロセッサ１３３にインストールされたバーコード読み取りルーチン１４３とを含むものであり、スキャナ１４１の一部を除いて携帯電話機１３０の筐体内に格納されている。
【００４０】
スキャナ１４１は（図５参照）、紙面の反射状態の変化に基づいてバーコードを読み取るために、発光ダイオード等の発光素子１４１ａと、フォトトランジスタやフォトダイオード等の受光素子１４１ｂとを具えており、それらの透明カバー等のところを筐体の角部から少し突き出した状態で筐体に取り付けられている。その際、指先等で押した程度では動かないよう、ネジ止めや填め込みにて、しつかり設置される。このようなスキャナ１４１は、携帯電話機１３０の筐体に対して直接に固定して設けられた読取部材となっており、露出する透明カバーや固定用締結部材等は付設されていてもそれ全体を囲む専用の筐体的部材は無く携帯電話機１３０の筐体によって囲われている。
【００４１】
バーコードリーダ回路１４２には、スキャナ１４１を介してデータの入力を行うために、発光素子１４１ａ及び受光素子１４１ｂを駆動する回路の他、光電変換された信号を二値化等してバーコードのパターンを認識する回路や、読み取り状態の良否を判定する回路などが設けられている。そして、読み取ったデータを、バイナリデータに変換して、デジタルシグナルプロセッサ１３３に送出するようになっている。このバーコードリーダ回路１４２にも、専用の筐１体的部材は無く、デジタルシグナルプロセッサ１３３や音声入力回路１３５ａ等と共に又はそれらと同様にＩＣ化されて内蔵の回路基板に実装されて携帯電話機１３０の筐体内に格納されている。
【００４２】
バーコード読み取りルーチン１４３は、キー操作等にて携帯電話機１３０の動作モードがメロディデータ読み取りモードにされると、起動されて、バーコードリーダ回路１４２の制御等を行う。電池の消耗を防ぐためにそのモードの間しかバーコードリーダ回路１４２及びスキャナ４１がアクティブにならないように制御する。そして、その間は、バーコードリーダ回路１４２からデータが送られて来るのを待ち、データが来るとそれを入力し、さらに、その入力データをメロディデータとしてメモリ１３４の該当記憶領域に書き込む。デジタルシグナルプロセッサ１３３はバーコード読み取りルーチン１４３の実行によってそのような処理を行うようにプログラムされている。
【００４３】
この第４実施例の携帯形電話機について、その使用態様及び動作を、図面を引用して説明する。図７は、その使用状態を示す模式図である。
通話時の使い方やそのときの動作は従来と同様であり例えばキーボード１３２を操作してダイヤルしたりマイク１３５やスピーカ１３７にて音声をやりとりしたり通話ルーチン１３３ａや通信回路１３８にて無線交信が行われるので、その詳細な説明は割愛して、以下、着信音のメロディ変更を中心に説明する。また、着信音のメロディを変更するには、従来と同様にキーボード１３２の操作でメロディデータを総て打ち込む他に、メロディデータをバーコード１２１で表した冊子１２０が手元に有れば、それを利用して自動入力も行える（図７参照）。
【００４４】
そのような冊子１２０には、通常、バーコード１２１に加えて、そのメロディのタイトルや、ジャンル等の案内文も日本語等で記載されているので、ユーザ１１０は、先ず、それらを読んで、適宜のメロディを選出し、冊子１２０の該当ページを開いておく。
それとともに、携帯電話機１３０のキーボード１３２を少しだけ操作して携帯電話機１３０の動作モードをメロディデータ読み取りモードに設定する。
そうすると、携帯電話機１３０では、バーコード読み取りルーチン１４３が起動されて、バーコードリーダ回路１４２及びスキャナ１４１も動作を開始して、発光素子１４１ａから送先が行われる。こうして、バーコード１２１を読み取る準備が調う。
【００４５】
準備が完了すると、ユーザ１１０は、手に持っている携帯電話機１３０を手にした状態のまま、冊子１２０の上へ運び、そのスキャナ１４１を下にして読み取り対象のバーコード１２１の始点より前のところに向ける。それから、スキャナ１４１を紙面に軽く接触させた状態で或いは紙面から少しだけ浮かせた状態のままで、バーコード２１をスキャナ１４１でなぞるようにしてバーコード１２１に沿って携帯電話機１３０を移動させる。こうして、バーコード１２１に対する手動走査が行われる。
【００４６】
そして、バーコード１２１の走査がなされると、携帯電話機１３０内では、スキャナ１４１で読み取ったバーコードがバーコードリーダ回路１４２を介してデジタルシグナルプロセッサ１３３に入力され、それからバーコード読み取りルーチン１４３の処理によってメモリ１３４におけるメロディデータの該当領域に書き込まれる。その後は、直ちに、あるいはモード解除に対応したキーボード１３２の特定操作に応じて、バーコード読み取りルーチン１４３が動作を停止し、携帯電話機１３０の動作モード等が通常の状態に戻る。
こうして、ほんの少しのキー操作とバーコードの読取り作業とを行うだけで、簡単に、携帯電話機１３０のメロディデータが変更される。
【００４７】
（第５実施例）
本発明の携帯形電話機の第５実施例について、その具体的な構成を、図面を引用して説明する。図８は、その内部構造等を示すブロック図であり、図９は、その外観を示し、（ａ）が正面図、（ｂ）が底面図である。なお、図８及び図９（ａ）はそれぞれ上述した図５及び図６に対応している。
この携帯電話機１５０が上述した携帯電話機１３０と相違するのは、メロディデータ読み取り手段１４０が機能拡張されてメロディデータ読み取り手段１５１になった点と、通話ルーチン１３３ａが改造されて通話ルーチン１５２になった点である。そのうちメロディデータ読み取り手段１５１については、バーコード読み取りルーチン１５３が機能アップされるとともに、スキャナ１４１の組み込み方が変更されている。
【００４８】
バーコード読み取りルーチン１５３は、バーコードリーダ回路１４２から送られてきたメロディデータをメモリ１３４へ書き込むことに加えて、その際にそのメロディデータを音階発生回路１３６にも引き渡してそのメロディを再生させるようにもなっている。また、スキャナ１４１は、携帯電話機１５０の底面に形成された凹み１５０ａの底部に組み込まれて、送受光部またはその透明カバーが外部に向けて露出していても突出はしないようになっている。
通話ルーチン１５２は、メロディデータ取込み中にも着信の検知を行うために、通話モード等の通常状態に限らず、メロディデータ読み取りモードのときも、バーコード読み取りルーチン１５３がアクティブであってもなくても、動作を停止することなく、通信回路１３８の受信状態等を監視し続けるようになっている。また、メロディデータ読み取りモードのときに、着信を検知すると、直ちに、読み取りルーチン１５３の動作を停止させるとともに、そのモードを抜け出すようになっている。
【００４９】
そして、さらに、メロディデータ取込みよりも電話回線からの呼び出しに対する応答を優先して、その着信音も発するために、メモリ１３４からそこに記憶されているメロディデータを読み出して音階発生回路１３６へ引き渡す処理も行う。これにより、携帯電話機１５０は、メロディデータ取込み中の着信検知にも応じてメロディデータの再生を行うものとなっている。
しかも、通話ルーチン１５２は、そのとき再生するメロディデータに対しては、そうでない通常常態では行わない所定の加工を施すことも行う。例えば、メモリ１３４から音階発生回路１３６へのメロディデータ転送を数回に分割して行うとともに、転送開始前と転送の各区切りと転送終了後に、「ピッ」といったブザー音のデータを付け加える。あるいは、メモリ１３４に余裕があって、「本当の着信です」等の音声案内をコード化したデータが保持されている場合は、これをメロディデータと交互に転送する。通話ルーチン１５２のプログラムは、そのように拡張されている。
【００５０】
この第５実施例の携帯形電話機についての使用態様及び動作を説明する。
その使い方は上述した第１実施例のそれとほぼ同じであるが、その際、スキャナ１４１をバーコード１２１に向けるには、スキャナ１４１が携帯電話機１５０の筐体底面中央に設けられているので、携帯電話機１５０を傾けずに行える。また、携帯電話機１５０を冊子１２０の紙面に接触させた状態でその紙面上を移動させても、凹み１５０ａの中に控えているスキャナ１４１は全く汚れることが無い。
そして、バーコード１２１が読み取られ、メモリ１３４のメロディデータが書き換えられると、その度に、バーコード読み取りルーチン１５３によるメロディデータの再生処理も行われて、音階発生回路１３６及びスピーカ１３７を介してそのメロディが発せられる。これを聴くことで、ユーザ１１０は、着信音等として入力したメロディを直ちに確認することができる。そのため、次々に良さそうなメロディのバーコードを対象とした読み取りによるメロディデータ取込とその確認を繰り返すことで、簡単に、しかも迅速に、最も気に入ったメロディを選択し、そのメロディデータを書き込むことができる。
【００５１】
また、そのようなメロディデータ取込を行っている時に、電話回線からの呼び出しが有ると、そのことがアンテナ１３１及び通信回路１３８を介してデジタルシグナルプロセッサ１３３に通知され、これに応じて通話ルーチン１５２がバーコード読み取りルーチン１５３の動作を停止させるとともに、そのときメモリ１３４の該当記憶領域に保持されているメロディデータが音階発生回路１３６に送り込まれる。しかも、その際に、「ピッ」等の識別用データもメロディデータの適宜箇所に付加されてそれと共に音階発生回路１３６へ送り込まれる。
こうして、バーコード読み取りで入力したメロディデータとは明らかに異なるメロディで着信音が発せられるので、ユーザ１１０は、実際の着信が有ったことを確実に知ることができる。
【００５２】
（その他）
なお、上記実施例では、スキャナ１４１の組み込み部位として、筐体の角部や底面中央を挙げたがこれは例示であり、スキャナ１４１は、アンテナ１３１や図示しないコネクタ等の他の外装部材と競合しないところであれば、筐体の何れのところに設けられていても良い。また、スキャナ１４１に関し、その露出面が汚れないように、スキャナ１４１の端部に直接、あるいは凹み１５０ａ等に対して、適宜の着脱カバーを装着させるようにしても良い。
また、スキャナ１４１は、手動走査式の簡素なものを例示したが、これに限らず、自動走査式のものでも良い。例えば、送先角度を変化させて送光先を振ることで走査がなされるようにしても良い。それを筐体に対して固定する仕方も、筐体に直接取り付ける他、がたつかないよう筐体にて強く挟み着けられた回路基板やその補強部材等に取り付けるようにしても良い。
【００５３】
さらに、バーコードの印刷物も、上述した冊子１２０に限らず、本や雑誌等の出版物、チラシ、ＣＤ等に添付の歌詞カード等、バーコードを印刷可能なものであれば良い。
また、キーボード１３２は、プッシュキーに限らず、操作可能な部材であれば、回転式のホイールや、傾斜式のスティック等であっても良い。デジタルシグナルプロセッサ１３３は、十分な処理能力を備えた信号処理回路であれば、汎用プロセッサや、ワイヤードロジックでも良く、それらの組み合わせであっても良い。メモリ１３４は、フラッシュメモリ等の不揮発性メモリに限らず、電池等でバックアップされたＲＡＭ等であっても良い。
【００５４】
（第６実施例）
本発明の携帯形電話機用メロディデータ入力システムの実施例について、その具体的な構成を、図面を引用して説明する。図１０は、そのシステム全体の概要構成図である。また、図１１は、そのうちの情報端末のブロック図であり、図７は、携帯形電話機のブロック図である。
【００５５】
この携帯形電話機用メロディデータ入力システムは（図１０参照）、メロディデータを通信にて配るために、送り側の配信局２０１と、受け取り側の受信局２０３と、両者に介在する通信回線２０２とからなる。この通信回線２０２は、一般的な公衆回線や専用回線で足り、有線であっても無線であっても或いは電気でも光伝送でも通信可能であれば良く、通信経路等がインターネット等の如く動的に変わるものであっても良い。また、送り側の配信局２０１には、サーバー２１０が設置され、受け取り側の受信局２０３には、携帯電話機２３０を接続可能な情報端末２２０が設置される。
【００５６】
サーバー２１０は（図１０参照）、通信回線２０２に対応した通信インターフェイス２１１と、コンピュータシステム等からなりデータ検索プログラムや配信管理プログラム等の応用プログラムがインストールされているコントローラ２１２と、ハードディスクやテープデバイス等の大容量記憶装置からなり多数のメロディデータを記憶保持しているメロディデータベース２１３とを具えたものであり、コントローラ２１２に対するオペレータの指示や、メロディデータベース２１３への新規メロディデータの追加があったとき等には、コントローラ２１２の制御の下、通常多数の登録済み情報端末２２０に対し、通信回線２０２を介して順次に呼び出しながら又は同報通信等にて一気に、メロディデータを送信することで、自発的な一括配信を行うようになっている。
【００５７】
また、サーバー２１０は、何れかの情報端末２２０から通信回線２０２を介して特定のメロディデータの要求がなされたときには、該当メロディデータをメロディデータベース２１３から探し出してその情報端末２２０にだけ送信することで、受動的な個別配信も行うようになっている。そして、かかる配信処理がスムーズに行えるよう、メロディデータベース２１３には、携帯電話機２３０でのメロディデータの保持形式と同じデジタルデータ形式でメロディデータが保持されるとともに、一意に割り振られたインデックス番号や、曲名等のタイトルデータ、ジャンル等の属性データなども、組み合わせて保持されている。このようなサーバー２１０は、通信回線２０２に接続され、その通信回線２０２を介して一の又は複数の情報端末２２０に向け、メロディデータの配信を行う配信装置となっている。
【００５８】
情報端末２２０は（図１０参照）、どのようなユーザであっても使い易いように筐体の高さ等が平均身長等に基づいて設計されており、その筐体外面には、崖体の背面や側面等から外に延び通信回線２０２に至る通信ケーブル２２１と、ＣＲＴ（ＣａｔｈｏｄｅＲａｙＴｕｂｅ）等からなりメロディデータのタイトルリストや属性等を表示する画面２２２と、汎用キーや専用キー等が配設されユーザが画面２２２の表示を見ながら操作し易いところに装着されたキーボード２２３と、筐体の前面や側面から外部に延びた着脱ケーブル２２４とが設けられている。
【００５９】
また、情報端末２２０には（図１１参照）、マイクロプロセッサシステム等からなり画面２２２への表示処理等を行うコントローラ２２６と、着脱ケーブル２２４とコントローラ２２６とに介在して設けられたデジタルインターフェイス２２５と、通信ケーブル２２１とコントローラ２２６とに介在して設けられた通信インターフェイス２２７とが、匿体内に格納されている。
【００６０】
通信インターフェイス２２７は、通信回線２０２に適合した送受信回路等を具備しており、通信回線２０２の特性に応じて、サーバー２１０の通信インターフェイス２１１との通信可能状態を常態とするか、交信の必要が生じる度に呼び出したり呼び出されたりして通信可能な状態に入るようになっている。何れにしても、コントローラ２２６からサーバー２１０へのメロディデータ要求があればこれを通信回線２０２へ送出し、サーバー２１０から情報端末２２０への一括配信や個別配信があればこれを受け取ってコントローラ２２６に引き渡す。その際、メロディデータと共にタイトル等の付随データも受信して引き渡す。これにより、情報端末２２０は、通信回線２０２に固定的に又は動的に接続されて、配信装置２１０から受動的に又は能動的にメロディデータを受信するものとなっている。
【００６１】
また、コントローラ２２６は、引き渡されたメロディデータを保持しておくために、図示しない不揮発性メモリやハードディスク等の二次記憶装置を有しているが、ローカルなデータの使用率を上げてサーバー２１０へのメロディデータ要求の頻度を低く抑えるために、配信されてから未だ所定期間を経過していないメロディデータや、使用頻度の高いメロディデータに関しては、付随データも含めて全データを保持する一方、そうでないメロディデータに関しては、インデックス番号やタイトル等の検索に必要な最小限のデータだけを残してメロディデータ本体等は消去することで、その二次記憶装置の容量が許す範囲内で可能な限り多くのメロディデータをそこに記憶保存しておくようにプログラムされている。
【００６２】
着脱ケーブル２２４は、フレキシブルな多芯ケーブル等からなり、その先端には後述の携帯電話機２３０のコネクタ２４１に対応した挿抜可能なコネクタ部材が設けられている。また、デジタルインターフェイス２２５は、コントローラ２２６の制御に従う入出力回路であり、デジタル携帯電話機２３０の外部インターフェイス２４２に適合したものであれば適宜のもので良く、例えば８ビットパラレルのデータＩ／Ｏ（Ｉｎｐｕｔ／Ｏｕｔｐｕｔ）回路や、あるいはＵＡＲＴ（Ｕｎｉｖｅｒｓａｌ Ａｓｙｎｃｒｏｎｏｕｓ Ｒｅｃｅｉｖｅｒ Ｔｒａｎｓｍｉｔｔｅｒ）などである。そして、着脱ケーブル２２４先端の上記コネクタがコネクタ２４１に結合したときに、コントローラ２２６と携帯電話機２３０とのデータ伝送が可能になる。このような着脱ケーブル２２４等は、記情報端末２２０に対しては固定的に設けられ、そして携帯形電話機２３０に対しては着脱自在に設けられていて、コネクタ２４１を介して情報端末２２０と携帯形電話機２３０とをデータ伝送可能に接続する動的接続手段となっている。
【００６３】
キーボード２２３は、ユーザが操作しやすいように大きめのキーやボタン等が設けられており、その操作に対応した信号やデータがコントローラ２２６に送出されるようコントローラ２２６と接続されている。キーボード２２３に対する特定キーの押下操作やインデックス番号の打鍵入力等に応じて、コントローラ２２６は、そのプログラム処理によって、画面２２２の表示内容を変更したりする他、或るメロディデータが携帯電話機２３０へ書き込む対象に選出され更に決定までなされると、そのメロディデータがハードディスク等に保持されていればそれを読み出して直ちに送出処理を行うが、そのメロディデータの本体部分が無いときには通信回線２０２を介してサーバー２１０に個別配信の要求を送るとともにその返送を待って必要なメロディデータを受信してから、デジタルインターフェイス２２５及び着脱ケーブル２２４経由で該当メロディデータを携帯電話機２３０へ送出する。このようなキーボード２２３等は、情報端末２２０に設けられていて、受信したばかりのメロディデータ又は以前に受信して保持していたメロディデータについて、動的接続手段２２４に向けた送出指示を入力しうる操作入力装置となっている。
【００６４】
携帯電話機２３０（携帯形電話機）には（図１０，図１２参照）、無線通信用の通信手段として、アンテナ２３１と、これを介して基地局等との送信および受信を行う通信回路２３８とが設けられている。また、電話番号の入力等のための操作部として、プッシュボタン等の配設されたキーボー２３２と、キーボードインターフェイス２３２ａが具えられている。さらに（図１２参照）、話者の発する音声等を入力するために、マイク２３５と共に音声入力回路２３５ａが設けられ、受信音等を可聴音にして出すために、スピーカ２３７も設けられている。
【００６５】
また、この携帯電話機２３０には（図１２参照）、話者間の通話等をサポートするために、上記の各手段を適宜に制御・駆動して、必要な通信手順や発呼処理等の種々の処理を実行するデジタルシグナルプロセッサ２３３も内蔵されていて、これには、その通話に伴う処理を担う通話ルーチン２３３ａや、キーボード２３２を操作しての入力をサポートするキー入力ルーチン２３３ｂが、インストールされている。さらに、携帯電話機２３０には、自己の電話番号や自動ダイアル先の幾つかの電話番号を保持しておく等のため、デジタルシグナルプロセッサ２３３による読み書きアクセスが可能な状態で、フラッシュメモリ等からなるメモリ２３４も内蔵されている。そして、それらは、図示しない電池から動作電力が供給されるようになっている。
【００６６】
このメモリ２３４は、着信音等のメロディデータを保持する記憶手段も兼ねており、そのために、所要範囲の一部領域が確保されている。メロディデータは、パルス符号変調等の施されたデジタルデータとしてメモリ２３４の該当領域に書き込まれるが、工場出荷前等に専用治具を用いて書き込まれる他、購入者等の使用者が後で書き換えることも可能である。具体的には、キーボード２３２を操作して特定のモード設定や順々に続く所定のデータ入力を行うと、デジタルシグナルプロセッサ２３３のキー入力ルーチン２３３ｂの処理等によって、メモリ２３４の該当領域のデータが書き換えられるようになっている。
【００６７】
さらに、この携帯電話機２３０には、そのメロディ音を着信時等に発するために、シンセサイザ回路等に加えてパルス符号変調等に対応した復号や復調を行ってデジタルデータをアナログ音響信号に変換する変換処理回路も具えた音階発生回路２３６が内蔵されている。また、デジタルシグナルプロセッサ２３３は、その適宜なプログラム処理によって、所定の着信確認処理を行うとそれに続けて、メモリ２３４からメロディデータを読み出すとともに、音階発生回路２３６へ逐次引き渡す処理も行う。音階発生回路２３６の出力はスピーカ２３７に送られる。このような音階発生回路２３６及びデジタルシグナルプロセッサ２３３は、メモリ２３４に保持されているメロディデータに基づいてメロディ再生を行う再生手段となっている。
【００６８】
また、この携帯電話機２３０には、外部接続用コネクタとして、雌型で蓋付きのコネクタ２４１が底部等に設けられている。そして、これを介して外部からメロディデータを入力するために、コネクタ２４１とデジタルシグナルプロセッサ２３３とに介在する外部インターフェイス２４２が内蔵されている。デジタルシグナルプロセッサ２３３には、ダウンロードルーチン２４３もインストールされていて、そのプログラム処理によって、コネクタ２４１に着脱ケーブル２２４が連結された状態で情報端末２２０からメロディデータが送られて来ると、それが受け取られるとともにメモリ２３４の該当領域がそのメロディデータで上書きされる、このメロディデータは、他のメロディデータで書き換えられるまでメモリ２３４に記憶され、上述したように再生手段によって着信音等に用いられるので、この携帯電話機２３０は、外部接続用コネクタを介してメロディデータの入力が可能なものであり、しかも、そのメロディデータを保持していてそれを着信音等として再生することが可能なものとなっている。
【００６９】
この実施例の携帯形電話機用メロディデータ入力システムについて、その使用態様及び動作を説明する。通常の通話や、総て手入力によるメロディデータの変更に関しては、従来通りの使い方等で良いので、以下、情報端末２２０を利用して行うメロディデータの自動入力について詳述する。
サーバー２１０は処理能力が足りれば一台でも良いが、システムの拡張性や柔軟性等も考慮して適宜な並列化や分散化を図るべく複数台設置も行われる。これに対し、情報端末２２０は、多数のユーザに対する利便性を高めるために、出来るだけ多くの台数が導入され、各地のコンビニエンスストア等を受信局２０３にして分散設置される。
【００７０】
そして、サーバー２１０と情報端末２２０が共に通信回線２０２に接続されると、サーバー２１０から情報端末２２０へのメロディデータ配信が可能な状態になる。
この状態で、サーバー２１０に新たなメロディデータが追加されると、そのメロティデータがメロディデータベース２１３に蓄積されるとともに、各地の情報端末に対しても配信される。そして、そのような配信が繰り返されると、やがてメロディデータベース２１３には大量のメロディデータが蓄積されるとともに、情報端末２２０にもその選択に必要なデータと保持可能な量のメロディデータが蓄積される。こうして、情報端末２２０によるメロディデータ提供サービスが可能になる。
その状態になると、ユーザは、所持している携帯電話機２３０に対してメロディデータの書換を行いたい場合、最寄りの受信局２０３に出向き、その携帯電話機２３０のコネクタ２４１に情報端末２２０の着脱ケーブル２２４を接続させる。そうすると、その携帯電話機２３０のデジタルシグナルプロセッサ２３３では、外部インターフェイス２４２を介して接続情報を受け取ったことに応じてそれだけで、あるいはそれにモード設定確認等のキーボード２３２に対する多少のキー操作も行われると、ダウンロードルーチン２４３が起動される。また、情報端末２２０では、コントローラ２２６のプログラム処理によって、メロディデータ選択メニューが画面２２２に表示される。
【００７１】
その画面２２２のメニューやそれと共に適宜表示される操作案内等を見ながら、ユーザは、キーボード２２３を操作して、メロディデータの候補を増減したり、それを試聴したりして、最終的には一つだけに絞り込む。そして、キーボード２２３の決定キー等を操作してそのメロディデータを送出する指示を与える。すると、そのメロディデータが情報端末２２０に保持されていれば直ちに情報端末２２０から着脱ケーブル２２４を介して携帯電話機２３０へ伝送される。
そのメロディデータが情報端末２２０に保持されていなければ、画面２２２に「暫くお待ち下さい」等の案内表示がなされるとともに、情報端末２２０から通信回線２０２を介してサーバー２１０へ個別配信の要求が送出される。そして、これを受信したサーバー２１０によって、該当メロディデータが、メロディデータベース２１３から検索されるとともに、通信回線２０２を介して情報端末２２０に送られてくると、情報端末２２０で、そのメロディデータは、コントローラ２２６等に保存されるとともに、情報端末２２０から着脱ケーブル２２４を介して携帯電話機２３０へも伝送される。
【００７２】
メロディデータが送られてくると携帯電話機２３０では、ダウンロードルーチン２４３の処理によって、そのメロディデータが入力され、それからメモリ２３４の該当領域に書き込まれる。その後は、ダウンロードルーチン２４３等によって適宜の処理完了の報告が情報端末２２０に返されて、情報端末２２０は初期メニューの状態等に戻るので、ユーザは、それを見てダウンロード完了を確認したうえで、コネクタ２４１から着脱ケーブル２２４を外す。
こうして、街角等に設置されサーバー２１０に通信回線２０２を介して接続された情報端末２２０を使用することで、ユーザは、多量のメロディデータの中から、例えそのメロディが凝っていてデータが複雑であったり長かったりしていても、コード冊子等が未だ出版されていない最新のヒット曲のメロディデータであったとしても、キーボード２２３の簡単な操作で、色々なものをほぼ瞬時に選択して、携帯電話機２３０に取り込むことができる。
【００７３】
（第７実施例）
本発明の携帯形電話機の第７実施例について、その具体的な構成を、図面を引用して説明する。図１３は、その携帯形電話機にメロディデータをダウンロードしうる携帯形電話機用メロディデータ入力システム全体の概要構成図であり、図１４は、その携帯形電話機のブロック図である。なお、図１３における矢印は、メロディデータがダウンロードされるときの流れを示しており、個別配信要求のためのデータ要求電文等の流れとは逆になっている。
【００７４】
この携帯形電話機用メロディデータ入力システムでは（図１３参照）、受信局２０３に必要なものが携帯電話機２６０だけで足り情報端末２２０は省けるように、通信回線２０２に無線電話回線が用いられる。すなわち、配信局２０１に設置された配信装置としてのサーバー２１０に対して無線電話回線２０２を介して携帯形電話機２６０が交信可能に接続されるようになっている。
サーバー２１０は（図１３参照）、上述の実施例において述べたものと同様のものでも良く、個別配信を行うだけのシンプルなものであっても良い。すなわち、通常多数のメロディデータを追加・更新・検索等可能な状態で保持するメロディデータベース２１３等のデータ保持手段と、通信回線２０２を介する携帯電話機２６０からのデータ要求に応じて又は定期配信等の自発的な要因に基づいて各メロディデータのうち一の又は複数の指定された又は選出したものを無線電話回線２０２経由で契約済み等の特定の又はダイヤルＱ２利用等の不特定の携帯電話機２６０に向けて配信する手段２１１，２１２とが設けられたものである。
【００７５】
通信回線２０２には（図１３参照）、携帯電話の通話用の無線電話回線を支える一般的な交換局２５０が転用・兼用される。すなわち、交換局２５０は各地に点在する基地局ごとに多数設置されるものであり、それぞれの交換局２５０には、携帯電話機と電波を交じわすアンテナ２５１と、これを介して無線信号の送受信を行う無線部２５２と、他の交換局２５０やサーバー２１０との信号伝送を行う有線部２５３とが設けられている。
【００７６】
携帯電話機２６０は（図１４参照）、メロディデータダウンロード手段２７０が導入された点を除き、上述した携帯電話機２３０の基本機能を概ね引き継いでいて、具体的には、無線通信用のアンテナ２３１及び通信回路２３８や、通話用のマイク２３５及びスピーカ２３７、キー入力用のキーボード２３２の他、メモリ２３４及び音階発生回路２３６も同様に設けられていて、メロディデータを保持するとともに着信等にはそれを再生するようになっている。なお、コネクタ２４１や外部インターフェイス２４２は、同様に設けられていても良いが、メロディデータダウンロード手段２７０の導入により、メロディデータの自動入力機能に関しては不要なものとなっている。
【００７７】
メロディデータダウンロード手段２７０は、通信回路２３８とデジタルシグナルプロセッサ２２３とを結ぶ信号ラインに介挿して設けられたスイッチ回路２７１，音声処理回路２７２，データ入力回路２７３と、デジタルシグナルプロセッサ２３３にインストールされたダウンロードルーチン２７４とを含むものである。
スイッチ回路２７１はデジタルシグナルプロセッサ２３３からの制御信号に従って通信回路２３８の信号送受先を音声処理回路２７２とデータ入力回路２７３との何れか一方に切り換えるものであり、常態では音声処理回路２７２の方を選択する。音声処理回路２７２は、通常の通話音の信号等を処理するものであり、通話ルーチン２３３ａと協動して、一連のパケット（データ転送単位）を整列させたり、適宜な圧縮伸長処理も施したりする。
【００７８】
データ入力回路２７３は、デジタルのメロディデータを正確に受信するために高度な符号化に対応した復号回路等を有して、訂正能力の高い誤り訂正処理を行うとともに、タイミング調整を図るためのバッファも具えたものである。
ダウンロードルーチン２７４は、キーボード２３２の操作にてダウンロードモードが選択されると起動されて、スイッチ回路２７１にその信号送受先をデータ入力回路２７３へ切り換えさせるとともに、データ入力回路２７３からのデータ入力等も行う。このようなメロディデータダウンロード手段２７０は、交換局２５０すなわち無線電話回線経由で配信されて来たメロディデータを、アンテナ２３１，通信回路２３８，スイッチ回路２７１，データ入力回路２７３，及びダウンロードルーチン２７４にて、適宜選択的に受信する手段となっている。
【００７９】
また、ダウンロードルーチン２７４は、アンテナ２３１及び通信回路２３８にて受信したメロディデータを、データ入力回路２７３経由で入力した後、メモリ２３４の該当記憶領域に書き込む処理も行うようになっている。さらに、ダウンロードモード時に、キーボード２３２の操作にてメロディデータのインデックス番号が入力されると、その番号を含ませた所定形式のデータ要求電文を作成して、これを通信回路２３８及びアンテナ２３１経由で発信することで、交換局２５０を介してサーバー２１０にメロディデータの配信要求を送出するようにもなっている。
【００８０】
しかも、ダウンロードルーチン２７４は、上述した処理すなわちインデックス番号の打鍵に応じたメロディデータのダウンロードという機能に加えて、インデックス番号の打鍵が無い状況でのダウンロードもサポートするために、次のことも行う。すなわち、インデックス番号を特定しないデータ要求電文を通信回線２０２経由でサーバー２１０に対して送るとともに、サーバー２１０から通信回線２０２を介してメロディデータが一つだけでなく次々に送られてくると、それらを継続して受信するようになっている。
【００８１】
また、その受信したメロディデータは直ぐにメモリ２３４の該当記憶領域に書き込むので無くデジタルシグナルプロセッサ２３３内あるいはメモリ２３４の他の記憶領域に一時記憶しておいて、処理可能な部分から順に音階発生回路２３６へ送り込んで、その受信中に又はその直後にメロディ再生を行う。さらに、その再生中に特定のキー、例えば“＊”キーが押下されると、その一時記憶しておいたメロディデータをメモリ２３４の該当記憶領域に転送する。この処理をそのようなキー操作が行われたときだけ行うことで、その受信して再生しているメロディデータのそれぞれについてキーボード２３２の操作に応じてメモリ２３４の該当記憶領域へ直ちに書き込む対象にするか否かの選択が行われる。ダウンロードルーチン２７４は、そのようにもプログラムされている。
【００８２】
この実施例の携帯形電話機用メロディデータ入力システムについて、その使用態様及び動作を説明する。
先ず、インデックス番号を特定して行われるメロディデータのダウンロードについて述べ、次に、インデックス番号を特定しないで行われるメロディデータのダウンロードについて述べる。
この携帯電話機２６０のメロディデータを変更したいユーザは、先ず、キーボード２３２を操作してサーバー２１０の電話番号を打ち込み、サーバー２１０と通話可能な状態にする。それから、サーバー２１０から送られスピーカ２３７より発せられる音声案内等に従い、やはりキーボード２３２を操作して、適宜な暗唱番号の打ち込み等も行う。そして、必要な確認がとれたところで、キーボード２３２のモード設定キー等を操作して、携帯電話機２６０の動作モードをメロディデータのダウンロードモードにする。
【００８３】
そうすると、デジタルシグナルプロセッサ２３３のダウンロードルーチン２７４のプログラム処理によって、メロディデータのインデックス番号の入力を促す音声案内や図示しない液晶両面での表示案内がなされるので、これに応じて、ユーザは、メロディデータの情報が印刷された冊子等を見て、そのなかから所望のメロディを選出し、そのメロディデータのインデックス番号を探して、これをキーボード２３２で打ち込む。なお、そのときに参照する冊子等の情報源は、各種メロディデータのコードが印刷されていようとコードが無いものであろうと何れであってもインデックス番号が得られるようになっていれば良い。また、インデックス番号は、それぞれのメロディデータ毎に一意に割り当てられていれば良い。
【００８４】
それから、インデックス番号の入力完了をキーボード２３２の操作にてデジタルシグナルプロセッサ２３３に知らせると、スイッチ回路２７１の接続先が音声処理回路２７２からデータ入力回路２７３に切り換えられるとともに、打ち込まれたばかりのインデックス番号を含んだデータ要求電文が、デジタルシグナルプロセッサ２３３からアンテナ２３１経由で交換局２５０に送出される。こうして、各携帯電話機２６０から個別に無線電話回線２０２を介してサーバー２１０に対しメロディデータのダウンロードの要求が行われる。
【００８５】
そして、これを受信したサーバー２１０では、インデックス番号に基づいて該当メロディデータがメロディデータベース２１３から検索されるとともに、その全コードを含む完全なメロディデータが返送のために通信回線２０２を介して該当携帯電話機２６０に向けて送出される。
そのメロディデータが送られてくると携帯電話機２６０では、ダウンロードルーチン２７４の処理によって、通信回路２３８及びデータ入力回路２７３を介してデジタルシグナルプロセッサ２３３に、そのメロディデータが入力され、それからメモリ２３４の該当領域に書き込まれる。
【００８６】
こうして、電話番号とモード設定とインデックス番号とを入力するという僅かなキー操作を行うだけで、面倒なコード部分の手入力を行うこと無く、簡単に、携帯電話機２６０のメロディデータが書き換えられる。
次に、インデックス番号を特定しないで行われるメロディデータのダウンロードについて述べる。
手元にコード冊子等が無いとき、それでも、携帯電話機２６０のメロディデータ変更したいユーザは、次のようにする。すなわち、キーボード２３２を操作して電話番号の打ち込みや暗唱番号の打ち込み等を行って、サーバー２１０との無線電話回線を確立するとともに、やはりキーボード２３２のモード設定キー等を操作して、携帯電話機２６０の動作モードをメロディデータのダウンロードモードにするが、その際、インデックス番号打鍵無しのモードを選択する。
【００８７】
そうすると、デジタルシグナルプロセッサ２３３のダウンロードルーチン２７４等のプログラム処理に従って、スイッチ回路２７１の接続先が音声処理回路２７２からデータ入力回路２７３に切り替わるとともに、インデックス番号を特定しないデータ要求電文がサーバー２１０に対して送信される。すると、これに応じて、サーバー２１０から通信回線２０２を介して色々なメロディデータが順に送られてくる。
そして、携帯電話機２６０のスピーカ２３７から、それらのメロディデータの再生音が、順次、聞こえてくるので、ユーザは、気に入ったメロディが有れば、その再生中に或いは次の再生が始まるまでの間に、キーボード２３２の特定キーを操作する。すると、これに応じて、携帯電話機２６０の内部では、デジタルシグナルプロセッサ２３３によって該当メロディデータがメモリ２３４の該当記憶領域に書き込まれる。こうして、メロディデータの書換がなされるが、もっと気に入りそうな他のメロディが残っていると思えるような場合は、そのままメロディデータの受信および再生を継続させて、再生メロディを聞き流す。
【００８８】
それから、適当な時点で、キーボード２３２の他のキーを操作してダウンロードモードを終了させると、スイッチ回路２７１の接続先がデータ入力回路２７３から音声処理回路２７２に再度切り替わるとともに、通話ルーチン２３３ａの動作が再開されて、携帯電話機２６０の動作状態が元に戻る。そして、他の電話からの呼び出し等があると、着信音が新たなメロディで発せられる。
こうして、コード冊子等を持たずに携帯電話機２６０を持ち歩いたような場合でも、電話番号とモード設定とを入力するという僅かなキー操作を行うだけで、メロディを聞き流しながら選択することができるので、やはり面倒なコード部分の手入力を行うこと無く、簡単に、携帯電話機２６０のメロディデータが書き換えられる。
【００８９】
（第７実施例の変形例）
図１５にブロック図を示した携帯電話機２８０が上述した携帯電話機２６０と相違するのは、ハードウェアのメロディデータダウンロード手段２７０がソフトウェアのメロディデータダウンロード手段２９０によって置換されてデジタルシグナルプロセッサ２３３に組み入れられたことである。
メロディデータダウンロード手段２９０のうち、音声処理ルーチン２９２は音声処理回路２７２の処理をプログラム化したものであり、データ入力ルーチン２９３はデータ入力回路２７３の処理をプログラム化したものであるが、スイッチ回路２７１に対応する切換処理は、ダウンロードルーチン２７４又は図示しないメインルーチンによる音声処理ルーチン２９２とデータ入力ルーチン２９３との択一的起動によって具現化されている。ダウンロードルーチン２７４は同じで良い。
この携帯形電話機２８０も携帯電話機２６０と同様にして使用される。
【００９０】
（その他）
なお、上記第７実施例で、ダウンロードルーチン２７４は、書込の選択がなされると直ちにメモリ２３４の該当領域に対する上書きが行われるようになっていたが、これに限らず、その処理に先だって一曲分の再生終了時等に書き換え確認の操作を求める音声案内や表示案内も出すようにしても良い。また、ダウンロードルーチン２７４等は、一個のルーチンに限らず、協動する複数個のルーチンに分かれてインストールされていても良い。さらに、一曲分の全メロディデータを一時記憶しない場合には、そのインデックス番号を保持しておくとともに、書込の選択がなされたときにインデックス番号を特定したデータ要求電文を送信するようにしても良い。また、インデックス番号を特定しないデータ要求電文の送出に先だって、メロディのジャンル等を或る程度まで絞り込むために、選択メニューや選択を促す音声案内等も出すようにしても良い。
【００９１】
また、上記第６実施例では、着脱ケーブル２２４が情報端末２２０に対しては固定的で携帯形電話機２３０に対しては着脱自在なものになっていたが、着脱ケーブル２２４は、情報端末２２０及び携帯形電話機２３０の何れに対しても着脱自在なものであっても良く、例えば、情報端末２２０側の端部にも適宜のコネクタが接続されたものでも良い。
さらに、何れの実施例についても、キーボード２３２は、プッシュキーに限らず、操作可能な部材であれば、回転式のホイールや、傾斜式のスティック等であっても良い。
デジタルシグナルプロセッサ２３３は、十分な処理能力を備えた信号処理回路であれば、汎用プロセッサや、ワイヤードロジックでも良く、それらの組み合わせであっても良い。
メモリ２３４は、フラッシュメモリ等の不揮発性メモリに限らず、電池等でバックアップされたＲＡＭ等であっても良い。
【００９２】
【発明の効果】
以上の説明から明らかなように、本発明の携帯形電話機にあっては、バーコードリーダが一体的に組み込まれるようにしたことにより、筐体を拡げること無く書換用の新たなメロディデータをほぼ自動的に入力することが可能となり、その結果メロディ変更の簡単な携帯形電話機を実現することができたという有利な効果が有る。
また、メロディデータの書き換えに際して入手も携帯も容易な所定の印刷物があれば足りるようにしたことにより、メロディ変更の簡便な携帯形電話機を実現することができたという有利な効果を奏する。
さらに、正確なメロディを聴いて確認できるようにしたことにより、簡単に而も的確に携帯形電話機のメロディデータを変更することができるようになったという有利な効果が有る。
また、バーコード読み取り内容の確認のためのメロディ音と、着信があったことを知らせるためのメロディ音とを識別しうるようにしたことにより、メロディ変更ばかりかその確認まで簡単に行えて而もその作業中の着信も逃さない携帯形電話機を実現することができたという有利な効果を奏する。
【図面の簡単な説明】
【図１】本発明の携帯形電話機の第１実施例について、その内部構造を示し、（ａ）は機能ブロック図、（ｂ）はコネクタの詳細図である。
【図２】（ａ）（ｂ）共に、図１に示す携帯形電話機の外観図で、使用状況も示している。
【図３】本発明の携帯形電話機の第２実施例について、（ａ）は機能ブロック図であり、（ｂ）は、使用状況も示す外観図である。
【図４】本発明の携帯形電話機の第３実施例について、その機能ブロック図である。
【図５】本発明の携帯形電話機の第４実施例について、その内部構造等を示すブロック図である。
【図６】図５に示す携帯形電話機の外観を示す正面図である。
【図７】図５に示す携帯形電話機の使用状態を示す模式図である。
【図８】本発明の携帯形電話機の第５実施例について、その内部構造等を示すブロック図である。
【図９】図８に示す携帯形電話機の外観を示し、（ａ）が正面図、（ｂ）が底面図である。
【図１０】本発明の第６実施例について、携帯形電話機用メロディデータ入力システム全体の概要構成図である。
【図１１】図１０に示す情報端末のブロック図である。
【図１２】図１０に示す携帯形電話機のブロック図である。
【図１３】本発明の第７実施例について、携帯形電話機用メロディデータ入力システム全体の概要構成図である。
【図１４】図１３に示す携帯形電話機のブロック図である。
【図１５】図１３に示す携帯形電話機の変形例である。
【図１】
0004569939.tif 000002
【図２】
0004569939.tif 000003
【図３】
0004569939.tif 000004
【図４】
0004569939.tif 000005
【図５】
0004569939.tif 000006
【図６】
0004569939.tif 000007
【図７】
0004569939.tif 000008
【図８】
0004569939.tif 000009
【図９】
0004569939.tif 000010
【図１０】
0004569939.tif 000011
【図１１】
0004569939.tif 000012
【図１２】
0004569939.tif 000013
【図１３】
0004569939.tif 000014
【図１４】
0004569939.tif 000015
【図１５】
0004569939.tif 000016